(57)【特許請求の範囲】
【請求項１】
地中に設けられた貯水槽と、この貯水槽内に配設されて貯水空間を確保する樹脂製骨格ブロックと、前記貯水槽内の雨水等の流入口付近に設けられた沈殿槽とを備え、前記沈殿槽は、前記貯水槽の雨水等の流入口付近に配設された樹脂製骨格ブロックを前記流入口側に囲い込むように設けられた仕切壁と、前記貯水槽の雨水等の流入口付近の内壁面と、前記貯水槽の雨水等の流入口付近の底面とで形成されている雨水等の貯水施設において、前記貯水槽の下に、前記沈殿槽の領域内から沈殿槽の領域外に伸びるＵ字溝を設け、このＵ字溝の沈殿槽の領域内に位置する区間は沈殿槽内に開口させ、このＵ字溝の沈殿槽の領域外に位置する区間は貯水槽内に開口させずに当該Ｕ字溝の沈殿槽の領域外の端部に地上に達する沈殿物排出用の作業孔を設けたことを特徴とする雨水等の貯水施設。
【請求項２】
Ｕ字溝は、沈殿槽の領域内から沈殿槽の両側又は片側の沈殿槽の領域外に伸び、Ｕ字溝の両端部又は片端部に作業孔が設けられていることを特徴とする請求項１記載の雨水等の貯水施設。
【請求項３】
Ｕ字溝は、沈殿槽の領域内から貯水槽の外側まで伸び、貯水槽外に作業孔が設けられていることを特徴とする請求項１又は２記載の雨水等の貯水施設。
【請求項４】
Ｕ字溝は、沈殿槽の領域内から貯水槽の領域内に伸び、貯水槽内に作業孔が設けられていることを特徴とする請求項１又は２記載の雨水等の貯水施設。
【請求項５】
請求項１ないし４のいずれかに記載の雨水等の貯水施設において、沈殿槽の領域内のＵ字溝に堆積した沈殿物を、Ｕ字溝にジェット水流を流して作業孔に移送し、作業孔から沈殿物を除去することを特徴とする貯水施設の沈殿物除去方法。
【請求項６】
請求項２記載の雨水等の貯水施設において、Ｕ字溝の両端部に作業孔が設けられている場合は、一方の作業孔から他方の作業孔に向けてジェット水流を流し、沈殿槽の領域内のＵ字溝に堆積した沈殿物を他方の作業孔に移送し、他方の作業孔から除去することを特徴とする貯水施設の沈殿物除去方法。
【請求項７】
請求項２又は３記載の雨水等の貯水施設において、作業孔から逆流式ジェット水流噴射装置を送り込み、この逆流式ジェット水流噴射装置から噴射される逆流ジェット水流で沈殿槽の領域内のＵ字溝に堆積した沈殿物を、逆流式ジェット水流噴射装置を送り込んだ作業孔に移送し、作業孔から沈殿物を除去することを特徴とする貯水施設の沈殿物除去方法。
【発明の詳細な説明】
【技術分野】
【０００１】
本発明は、地下に設置される雨水等の貯水施設と、その貯水施設の沈殿物除去方法に関するものである。
【背景技術】
【０００２】
従来から、例えば大きなビルや団地等において、雨水を防火用水として、あるいは花壇や菜園の散水用として有効利用するために、ビルや団地周辺の空き地、自転車置き場等の地下に貯水施設を設けて、雨水を貯える試みがなされている。
【０００３】
従来の貯水施設はコンクリート製が主流であったが、近年は短期間で施工が可能な樹脂製の貯水施設が増えてきている。樹脂製の貯水施設は、地面を掘り下げて形成した四角形の凹所に遮水性又は透水性シートを内張りして貯水槽を形成し、この貯水槽内に樹脂製骨格ブロックを縦横上下に組み上げて貯水空間を確保し、さらに骨格ブロック上面に天板とシートを敷き詰めた後、その上に土を埋め戻すことにより構築される（引用文献１参照）。
【０００４】
このような貯水施設には、雨水と一緒に土砂が流れ込んでくる場合があり、貯水施設内に流れ込んだ土砂が堆積すると、貯水施設の貯水可能容積が減少してしまうという問題がある。
【０００５】
この問題を解決するものとして、貯水槽内に雨水等の流入口付近の骨格ブロックを仕切壁で囲むことにより沈殿槽を形成し、この沈殿槽内に土砂を沈殿させることで、貯水槽全体に沈殿物が拡散するのを防止することが提案されている（特許文献２参照）。この貯水施設では、沈殿槽内に堆積した沈殿物は、沈殿槽に設けられた作業孔からポンプ等により排出される。
【０００６】
【特許文献１】特開昭６３−２６８８２３号公報
【特許文献２】特開２００５−１２０６５８号公報
【発明の開示】
【発明が解決しようとする課題】
【０００７】
しかし、特許文献２のように、貯水槽内に仕切壁で沈殿槽を形成し、沈殿槽内に作業孔を設けただけでは、作業孔内の沈殿物を除去することはできても、作業孔のまわりの沈殿槽内に堆積した沈殿物を除去することは困難である。
【０００８】
本発明の目的は、沈殿槽内の沈殿物を効率よく除去できる雨水等の貯水施設と、その貯水施設の沈殿物除去方法を提供することにある。
【課題を解決するための手段】
【０００９】
この目的を達成するため本発明は、地中に設けられた貯水槽と、この貯水槽内に配設されて貯水空間を確保する樹脂製骨格ブロックと、前記貯水槽内に雨水等の流入口付近の樹脂製骨格ブロックを仕切壁で囲むことにより形成された沈殿槽とを備えた雨水等の貯水施設において、前記貯水槽の下に、前記沈殿槽の領域内から沈殿槽の領域外に伸びるＵ字溝を設け、このＵ字溝の沈殿槽の領域内に位置する区間は沈殿槽内に開口させ、このＵ字溝の沈殿槽の領域外に位置する区間は貯水槽内に開口させずに当該Ｕ字溝の沈殿槽の領域外の端部に地上に達する沈殿物排出用の作業孔を設けたことを特徴とするものである。
【００１０】
本発明に係る貯水施設は、Ｕ字溝が、沈殿槽の領域内から沈殿槽の両側又は片側の沈殿槽の領域外に伸び、Ｕ字溝の両端部又は片端部に作業孔が設けられている構成とすることができる。
【００１１】
また本発明係る貯水施設は、Ｕ字溝が、沈殿槽の領域内から貯水槽の外側まで伸び、貯水槽外に作業孔が設けられている構成とすることもできる。このような構成とすることにより、作業孔を貯水槽内に設ける場合より、貯水槽内の骨格ブロックの配設等工事が容易になるメリットがある。
【００１２】
また本発明係る貯水施設は、Ｕ字溝が、沈殿槽の領域内から貯水槽の領域内に伸び、貯水槽内に作業孔が設けられている構成とすることもできる。作業孔を貯水槽内に作ることにより、貯水施設の設置面積を小さくできる。
【００１３】
また本発明に係る貯水施設の沈殿物除去方法は、上記のような雨水等の貯水施設において、沈殿槽の領域内のＵ字溝に堆積した沈殿物を、Ｕ字溝にジェット水流を流して作業孔に移送し、作業孔から沈殿物を除去することを特徴とするものである。
【００１４】
また本発明に係る沈殿物除去方法において、Ｕ字溝の両端部に作業孔が設けられている場合は、一方の作業孔から他方の作業孔に向けてジェット水流を流し、沈殿槽の領域内のＵ字溝に堆積した沈殿物を他方の作業孔に移送し、他方の作業孔から沈殿物を除去すればよい。
【００１５】
また本発明に係る沈殿物除去方法において、Ｕ字溝の一端部に作業孔が設けられている場合は、その作業孔から逆流式ジェット水流噴射装置を送り込み、この逆流式ジェット水流噴射装置から噴射される逆流ジェット水流で沈殿槽の領域内のＵ字溝に堆積した沈殿物を作業孔に移送し、作業孔から沈殿物を除去すればよい。
【発明の効果】
【００１６】
本発明によれば、貯水槽の下に、沈殿槽の領域内から沈殿槽の領域外に伸びるＵ字溝を設け、このＵ字溝を沈殿槽内に開口させてあるので、沈殿槽内の沈殿物の多くを沈殿槽の下のＵ字溝内に堆積させることができる。またＵ字溝の沈殿槽の領域外の端部には、地上に達する作業孔を設けてあるので、Ｕ字溝内に堆積した沈殿物を作業孔に集めて、作業孔から効率よく地上に排出することができる。
【００１７】
また、沈殿槽の領域内のＵ字溝に堆積した沈殿物を、Ｕ字溝にジェット水流を流して作業孔に移送することにより、Ｕ字溝に堆積した沈殿物を効率よく作業孔に移送することができ、沈殿物の排出作業をより効率よく行うことができる。このとき、作業孔を設ける位置は、Ｕ字溝の沈殿槽の領域外であれば、貯水槽の領域内、領域外のいずれでもよく、設計面での自由度も大きい。
【発明を実施するための最良の形態】
【００１８】
〔実施形態１〕図１及び図２は本発明に係る雨水等の貯水施設及び沈殿物除去方法の一実施形態を示す。図において、１０は地面を掘り下げて形成した四角形の凹所に遮水性又は透水性シート１２を内張りすることにより形成された貯水槽、１４は貯水槽１０内に縦横上下に組み上げられた樹脂製骨格ブロックである。樹脂製骨格ブロック１４は、図３に示すように、正方形の平板部１６の中央部に円筒部１８を立設し、平板部１６には多数の透水孔２０を形成し、円筒部１８の先端には突起２２と嵌合孔２４を形成したものである。このような骨格ブロック１４を１段ごとに上下を逆さまにして組み上げていくことにより、貯水槽１０内に貯水空間Ｓを確保することができる。
【００１９】
また、符号２６は雨水の流入口、２８は貯水槽１０に貯えられた雨水の流出口、３０は貯水槽１０内の流入口２６付近に設けられた沈殿槽である。沈殿槽３０は、図示のように、貯水槽１０の雨水等の流入口２６付近に配設された樹脂製骨格ブロック１４を前記流入口２６側に囲い込むように設けられた仕切壁３２と、前記貯水槽１０の流入口２６付近の内壁面と、前記貯水槽１０の流入口２６付近の底面とで形成されている。仕切壁３２には多数の小孔３４が設けられている。このような沈殿槽３０を設けておくと、流入口２６から流入する雨水は、まず沈殿槽３０に入り、沈殿槽３０から小孔３４を通って貯水槽１０へ流れ出るので、雨水に含まれている土砂は沈殿槽３０内に沈殿し、沈殿槽３０外へ拡散することが少なくなる。
【００２０】
また、符号３６は上記のようにして組み上げられた骨格ブロック１４の上面に天板（図示せず）を介して敷き詰められた天井用の遮水性又は透水性シート、３８は貯水槽１０内の点検孔、４０は前記シート３６上に埋め戻された土である。
【００２１】
この貯水施設の特徴は、貯水槽１０の下に、沈殿槽３０の領域内から沈殿槽３０の両側の貯水槽１０の外側まで伸びるＵ字溝４２を設け、このＵ字溝４２の両端部に地上に達する沈殿物排出用の作業孔（マンホール又はハンドホール）４４Ａ、４４Ｂを設けたことである。Ｕ字溝４２の沈殿槽３０の領域内に位置する区間はシート１２を切除して沈殿槽３０内に開口させてあるが、Ｕ字溝４２の沈殿槽３０の領域外に位置する区間は貯水槽１０内に開口していない。
【００２２】
上記のようにＵ字溝４２及び作業孔４４Ａ、４４Ｂを設けておくと、沈殿槽３０内に沈殿する土砂等の多くは沈殿槽３０の下のＵ字溝４２内に堆積するようになる。Ｕ字溝４２内に堆積した沈殿物４６は、図２に示すように、いずれか一方の作業孔４４ＡからＵ字溝４２内にジェット水流噴射装置４８を挿入し、他方の作業孔４４Ｂに向けてジェット水流５０を噴射することによって、他方の作業孔４４Ｂに移送し、他方の作業孔４４Ｂからポンプ等により沈殿物を地上に取り出して除去することができる。
【００２３】
〔実施形態２〕図４は本発明の他の実施形態を示す。図４は実施形態１の図２に相当する図である。この貯水施設は、貯水槽１０の下に、沈殿槽３０の領域内から沈殿槽３０の両側の貯水槽１０の領域内に伸びるＵ字溝４２を設け、貯水槽１０の領域内にＵ字溝４２の両端部から地上に達する作業孔４４Ａ、４４Ｂを設けたものである。それ以外の構成は実施形態１と同じであるので、同一部分には同一符号を付して説明を省略する。
【００２４】
このような構成でも、実施形態１と同様、Ｕ字溝４２内に堆積した沈殿物４６をジェット水流５０により作業孔４４Ｂへ移送して、沈殿物を除去することができる。
【００２５】
〔実施形態３〕図５は本発明のさらに他の実施形態を示す。図５は実施形態１の図２に相当する図である。この貯水施設は、貯水槽１０の下に、沈殿槽３０の領域内から沈殿槽３０の片側の貯水槽１０の外側まで伸びるＵ字溝４２を設け、そのＵ字溝４２の貯水槽１０の領域外の端部に作業孔４４を設けたものである。それ以外の構成は実施形態１と同じであるので、同一部分には同一符号を付して説明を省略する。
【００２６】
このようにＵ字溝４２が沈殿槽３０の片側に伸び、Ｕ字溝４２の片端に作業孔４４が設けられている場合は、作業孔４４からＵ字溝４２内に逆流式ジェット水流噴射装置５２を送り込み、この逆流式ジェット水流噴射装置５２から噴射される逆流ジェット水流５４でＵ字溝４２内に堆積した沈殿物４６を作業孔４４に移送し、作業孔４４から沈殿物を地上に取り出して除去すればよい。
【００２７】
なお、作業孔４４は、図４の実施形態２のように、貯水槽１０の領域内に設置してもよい。
【００２８】
〔実施形態４〕図６は本発明のさらに他の実施形態を示す。図６（Ａ）、（Ｂ）は実施形態１の図１（Ａ）、（Ｂ）に相当する図である。この貯水施設は、貯水槽１０の下に、沈殿槽３０の領域内から沈殿槽３０の片側（流入口２６とは反対側）の貯水槽１０の領域内に伸びるＵ字溝４２を設け、そのＵ字溝４２の貯水槽１０の領域内の端部に作業孔４４を設けたものである。それ以外の構成は実施形態１と同じであるので、同一部分には同一符号を付して説明を省略する。
【００２９】
このよう構成でも、実施形態３と同様、Ｕ字溝４２内に堆積した沈殿物４６を逆流ジェット水流５４により作業孔４４へ移送して、除去することができる。
【図面の簡単な説明】
【００３０】
【図１】本発明に係る貯水施設の一実施形態を示す、（Ａ）は垂直縦断面図、（Ｂ）は水平断面図。
【図２】図１（Ａ）のＣ−Ｃ線における垂直横断面図。
【図３】図１の貯水施設に用いる樹脂製骨格ブロックの一例を示す斜視図。
【図４】本発明に係る貯水施設の他の実施形態を示す垂直横断面図。
【図５】本発明に係る貯水施設のさらに他の実施形態を示す垂直横断面図。
【図６】本発明に係る貯水施設のさらに他の実施形態を示す、（Ａ）は垂直縦断面図、（Ｂ）は水平断面図。
【符号の説明】
【００３１】
１０：貯水槽
１２：遮水性又は透水性シート
１４：樹脂製骨格ブロック
２６：流入口
２８：流出口
３０：沈殿槽
３２：仕切壁
３４：小孔
４２：Ｕ字溝
４４、４４Ａ、４４Ｂ：作業孔
４６：沈殿物
４８：ジェット水流噴射装置
５０：ジェット水流
５２：逆流式ジェット水流噴射装置
５４：逆流ジェット水流
【図１】
0004668091.tif 000002
【図２】
0004668091.tif 000003
【図３】
0004668091.tif 000004
【図４】
0004668091.tif 000005
【図５】
0004668091.tif 000006
【図６】
0004668091.tif 000007